(57)【特許請求の範囲】
【請求項１】
竿体の周面に取り付けられる釣糸を案内する為の釣糸ガイドを備えた釣竿であって、
前記釣糸ガイドは、長さ方向中央付近で螺旋状に複数回巻回される巻回部分を有する細径金属線と、前記細径金属線の両端部分をそれぞれ竿体周面に固定するために竿体の軸方向に延びる両端を有し、
前記釣竿は、その竿体周面に、前記釣糸ガイドの両端を収納する窪みが設けられ、
前記釣糸ガイドの両端を、前記竿体周面に設けられた窪みに収納し、巻き糸で固定した、釣糸ガイドを備えた釣竿。
【請求項２】
前記釣糸ガイドは、その細径金属線はその線径が０．１５〜０．７ｍｍであり、巻回部分は金属線が複数周分螺旋状に巻回されている、請求項１に記載の釣糸ガイドを備えた釣竿。
【発明の詳細な説明】
【０００１】
【発明の属する技術分野】
本発明は、竿体の周面に取り付けられ、リールからの釣糸を案内し、また、釣糸からの力を竿体に伝達する釣糸ガイドに関する。
【０００２】
【従来の技術】
従来の釣竿の中で、いわゆる外通し竿と呼ばれるタイプの釣竿は、一般に複数の先細り筒状の竿体からなり、最も竿元側に位置しリールを竿体周面に装着可能なリールシートを有する元竿と、順次元竿の穂先側に連結される元上竿，中竿，穂先竿等から構成される。
【０００３】
各竿体の周面には、長手方向に一定の間隔を隔てて複数の釣糸ガイドが固定される。この釣糸ガイドは、竿体周面に固定される部分である固定部と、固定部に連続してなり竿体周面に対して起立している脚部と、脚部の先端に取り付けられるガイドリングとを有する。そして、この固定部は竿体周面に於いて竿体と共に巻糸で巻回され、この巻糸に合成樹脂をコーティングして固定され、若しくは、金属性リング部材などで固定されている。そして、リールシートに取り付けたリールから引き出された釣糸は、順次釣糸ガイドのガイドリングを挿通して穂先側に案内されることになる。
【０００４】
【発明の解決する課題】
従来の釣竿では、釣糸の先端に取り付けた仕掛けに魚がかかって竿体が屈曲する際に、釣糸ガイドが竿体の円滑な屈曲性を損なう場合があった。即ち、従来の釣糸ガイド、特に、竿体の長手方向に広がる１対の固定部を有するタイプの釣糸ガイド（両脚ガイド）では、この１対の脚部が竿体の長手方向において支棒となり、釣糸ガイドの装着付近での部分的な竿体の屈曲を阻害する場合があった。このような部分的な竿体の屈曲性の変化は、本来連続的に湾曲するべき釣竿の動作を損ない、いわゆる竿の調子を損なう。
【０００５】
また、従来の釣糸ガイドでは、１つの釣糸ガイドに１つのガイドリングが装着されることを前提としている。このため、竿体が大きく屈曲した場合には１つの釣糸ガイドがいわば１点で釣糸を支えることになり、釣糸ガイドと隣接する他の釣糸ガイドとの間での釣糸の進行方向の角度変化が大きくなることが多かった。このような大きな角度変化は釣糸の円滑なリールへの巻き取りを阻害する。
【０００６】
本発明の課題は、竿体の屈曲性を損なうことなく、釣糸の円滑な巻き取りも可能とする釣糸ガイド及びこれを備えた釣竿を提供することにある。
【０００７】
【課題を解決するための手段】
発明１の釣糸ガイドを備えた釣竿は、竿体の周面に取り付けられる釣糸を案内する為の釣糸ガイドを備えた釣竿であって、釣糸ガイドは、長さ方向中央付近で螺旋状に複数回巻回される巻回部分を有する細径金属線と、細径金属線の両端部分をそれぞれ竿体周面に固定するために竿体の軸方向に延びる両端を有し、釣竿は、その竿体周面に、釣糸ガイドの両端を収納する窪みが設けられ、釣糸ガイドの両端を、竿体周面に設けられた窪みに収納し、巻き糸で固定したものである。
【０００８】
この釣竿における釣糸ガイドは金属線の巻回部分にリールからの釣糸を挿通して用いられる。この状態で、釣糸は金属線に支持され案内されることになる。釣糸の先端に連結される仕掛けに魚が係り釣糸に大きな付加がかかると、この付加が釣糸ガイドを介して竿体に伝達され、竿体は大きく屈曲する。この際、竿体の屈曲に追随して釣糸ガイドの金属線にも竿体の軸方向に力がかかるが、金属線の巻回部分がコイルバネのように作用して竿体の軸方向に延び又は収縮し、竿体の屈曲を妨げることがない。また、金属線自体も屈曲して竿体の屈曲に追随するので、この点からも竿体の屈曲が妨げられない。さらに、竿体が屈曲しても、複数回金属線が巻回されている巻回部分がこれに追随して屈曲し、巻回部分の複数のリングがそれぞれ連続的に釣糸を支える。これにより、竿体の屈曲によって釣糸の進行方向に対して大きな角度変化が生じるのを抑えられる。さらに、金属線の両端が竿体周面へ設けられた窪みに収納され、その上から巻き糸で固定されているので、釣糸ガイドがずれることがない。
【０００９】
発明２の釣糸ガイドを備えた釣竿は、発明１の釣糸ガイドを備えた釣竿であって、その釣糸ガイドは、その細径金属線はその線径が０．１５〜０．７ｍｍであり、巻回部分は金属線が複数周分螺旋状に巻回されている。
所定の線径の金属線においては、釣糸を十分に支える強度を担保しつつ円滑に巻回部分が伸縮し、竿体の屈曲を妨げることはない。また、所定の巻回数を備えることで、竿体の屈曲時における巻回部分での釣糸の支持点が複数点となり、必要な釣糸の角度変化の滑らかさを演出できる。
【００１１】
【発明の実施の形態】
本発明の一実施形態について、図面を参照しつつ説明する。
本発明の一実施形態を採用した釣竿は、図１に示すように、元竿１と、元竿１の穂先側に並継形式で連結される元上竿２，複数の中竿３，穂先竿４とを有している。元竿１〜穂先竿４はそれぞれ、炭素繊維等の強化繊維に合成樹脂を含浸したプリプレグ素材からなる先細り筒状の部材である。
【００１２】
元竿１は、最も竿元側に位置する大径の竿体であって、竿元側の周面にリールを脱着自在に装着可能なリールシート５が一体的に形成されている。竿元側端部内周面には雌ねじ部分が形成され、ここに尻栓６が脱着自在に螺合している。また、元竿１のリールシート５より穂先側及び元上竿２〜穂先竿４には、それぞれ軸方向に間隔を隔てて複数の釣糸ガイド１０が固定されている。さらに、穂先竿４の穂先側端部にはトップガイド７が装着されている。
【００１３】
この場合、後に詳しく説明するタイプの釣糸ガイド１０のみ一種類を各竿体に配置しても良いが、特に、竿体の屈曲が激しい部分に位置する穂先竿４及び中竿３等のみに釣糸ガイド１０を装着し、他の竿体においては、旧来のタイプの釣糸ガイドを併用してもよい。
次に、釣糸ガイド１０について説明する。
【００１４】
図２及び図３に詳しく示すように、この釣糸ガイド１０は、長さ方向中央付近で螺旋状に巻回される巻回部分１１ａを有する金属線１１と、金属線１１の両端部分をそれぞれ竿体（例えば、図２及び図３では中竿３）の周面に固定する巻糸１２からなる。
金属線１１は、スチール，アルミニウム，チタン等の金属又はこれらの合金からなる細線状部材である。必要に応じて、超弾性を有する形状記憶合金などを金属線１１の素材として用いてもよい。この金属線１１はφ0.15〜0.7mmであり、さらに好ましくは、φ0.25〜0.35mmである。この程度の線径とすることで釣糸を十分に支持可能であると共に、後述のような円滑な金属線の伸縮を維持できる。また、金属線１１の巻回部分１１ａは３〜６回周分螺旋状に巻回するのが好ましい。釣糸ガイド全体の重量化を防止しつつ、且つ釣糸との摺動抵抗の過大な増加を防止する観点からはこの程度の金属線１１の巻回が好ましい。この螺旋状の巻回部分１１ａは巻回された隣接する金属線同士が軸方向において接触する状態としても、相互に間隔を隔てている状態としてもよい。
【００１５】
この金属線１１の両端側は巻回部分１１ａより中竿３の周面側に降り中竿３の軸方向に延びてその周面に沿って接している。そして、この接触した両端がそれぞれ巻糸１２によって中竿３と共に巻回され中竿３の周面に固定されている。巻回後に合成樹脂で巻糸１２をコーティングしてもよい。また、巻糸１２に代えて金属パイプ等を用いて金属線１１を固定することも可能である。
【００１６】
さらに、金属線１１が中竿３の周面に於いて周方向又は軸方向にずれないように、中竿３の周面に窪みを設けておき、この窪みの中に金属線１１の両端をそれぞれ収納した上で、巻糸１２などで金属線１１を固定する方法を採用してもよい。
このような釣糸ガイド１０を備える釣竿では、各釣糸ガイド１０の金属線１１の巻回部分１１ａにリールからの釣糸Ｌを順次挿通させて穂先側へ送り、穂先竿４のトップガイド７へと至る。このように、釣糸Ｌは金属線１１に支持され案内される（図２及び図３参照）。釣糸Ｌの先端に連結される仕掛けに魚が係り釣糸Ｌに大きな付加がかかると、この付加が釣糸ガイド１０を介して各竿体に伝達され、各竿体は大きく屈曲する。この際、各竿体の屈曲に追随して釣糸ガイド１０の金属線１１にも各竿体の軸方向に向かって力がかかる。すると、図４に示すように、金属線１１の巻回部分１１ａがコイルバネのように作用し、竿体の軸方向に延び又は収縮する。
【００１７】
また、竿体の屈曲と共に巻回部分１１ａが開き、巻回部分１１ａにおける軸方向の複数点で釣糸を支持可能となり、釣糸の大きな角度変化を抑える。即ち、竿体の屈曲によって釣糸もこれに追随して屈曲するが、従来の釣糸ガイドのように凡そ一点で釣糸を支持している場合に比べ（模式的に示した図５（ｂ）参照）、数周回金属線１１が巻回された巻回部分１１ａの各リングが複数点で釣糸を連続的に支え、釣糸の大きな角度変化を抑える（模式的に示した図５（ａ）参照）。
【００１８】
【発明の効果】
本発明にかかる釣糸ガイドによれば、竿体の屈曲性を損なうことなく、釣糸の円滑な巻き取りも可能となる。
【図面の簡単な説明】
【図１】本発明の一実施形態を採用した釣竿の全体図。
【図２】釣糸ガイド１０を示した図。
【図３】釣糸ガイド１０の側面図。
【図４】竿体が屈曲した状態での釣糸ガイド１０を示した図。
【図５】釣糸ガイド１０の動作を示す模式図（ａ）と、従来の釣糸ガイドの模式図（ｂ）。
【符号の説明】
１  元竿
２  元上竿
３  中竿
４  穂先竿
１０  釣糸ガイド
１１  金属線
１２  巻糸
【図１】
0003976172.tif 000002
【図２】
0003976172.tif 000003
【図３】
0003976172.tif 000004
【図４】
0003976172.tif 000005
【図５】
0003976172.tif 000006